(57)【要約】【課題】伝動機構において良好な伝動状態を長期にわたり維持することが可能となる収穫機を提供する。【解決手段】ミッションケース１６の外部に設けられると共に、ミッションケース１６の一端側の側壁１６Ａをケース外方側からケース内方側に向けて挿通する出力軸２９を有し、エンジンからの動力を正逆無段に変速して出力軸２９から出力する主変速装置１４と、ミッションケース１６に内装されると共に、伝達された動力を高低２段に変速して走行装置に伝達するギア式の副変速装置１５とが備えられ、出力軸２９は、ミッションケース１６内を通過するとともに、他端側の側壁１６Ｂを挿通して軸端部２９ａがケース外方に露出する状態で、且つ、一端側の側壁１６Ａと他端側の側壁１６Ｂとの夫々に回動自在に支持される状態で備えられている。【選択図】図４
2015010658.tif 000002
【特許請求の範囲】
【請求項１】
ミッションケースの外部に設けられると共に、前記ミッションケースの一端側の側壁をケース外方側からケース内方側に向けて挿通する出力軸を有し、エンジンからの動力を正逆無段に変速して前記出力軸から出力する主変速装置と、
前記ミッションケースに内装されると共に、前記出力軸から伝達された動力を作業状態に応じた高低２段に変速して走行装置に伝達するギア式の副変速装置とが備えられ、
前記出力軸は、前記ミッションケース内を通過するとともに、他端側の側壁を挿通して軸端部がケース外方に露出する状態で、且つ、前記一端側の側壁と前記他端側の側壁との夫々に回動自在に支持される状態で備えられている収穫機。
【請求項２】
前記副変速装置における入力側の変速用入力軸に、前記出力軸に備えられた出力ギアと噛み合い連動する入力ギアが備えられている請求項１記載の収穫機。
【請求項３】
前記変速用入力軸において、前記入力ギアに近い側に高速伝動用駆動ギアが備えられ、前記入力ギアから遠い側に低速伝動用駆動ギアが備えられている請求項２記載の収穫機。
【請求項４】
前記低速伝動用駆動ギアが、前記変速用入力軸を前記他端側の側壁において回動自在に支持する軸支部材との間で軸芯方向に間隔をあけて備えられている請求項３記載の収穫機。
【請求項５】
前記高速伝動用駆動ギアが、前記入力ギアとの間で軸芯方向に間隔をあけて備えられている請求項３又は４記載の収穫機。
【請求項６】
前記副変速装置における出力側の変速用出力軸に、前記高速伝動用駆動ギアが噛み合い連動する高速伝動用従動ギアと、前記低速伝動用駆動ギアが噛み合い連動する低速伝動用従動ギアと、前記副変速装置の伝動下手側に位置する下手側伝動ギアと噛み合い連動する駆動用ギアとが夫々備えられている請求項３〜５のいずれか１項に記載の収穫機。
【請求項７】
前記駆動用ギアが、前記高速伝動用従動ギアと前記低速伝動用従動ギアとの間に位置する状態で備えられている請求項６記載の収穫機。
【請求項８】
前記駆動用ギアが、前記高速伝動用従動ギアに近い位置に備えられている請求項７記載の収穫機。
【請求項９】
前記副変速装置は、
入力側の変速用入力軸と、出力側の変速用出力軸と、前記変速用入力軸に相対回転可能に備えられた高速伝動用駆動ギア及び低速伝動用駆動ギアと、前記変速用出力軸に固定状態で備えられた高速伝動用従動ギア及び低速伝動用従動ギアとを備え、
前記高速伝動用駆動ギアと前記低速伝動用駆動ギアとを、前記高速伝動用従動ギアと前記低速伝動用従動ギアとに夫々常時噛み合う状態で、軸芯方向にスライド不能に備えて構成されるとともに、
前記高速伝動用駆動ギアと前記低速伝動用駆動ギアとの間に、前記変速用入力軸にスプライン外嵌されて、前記変速用入力軸に相対回転自在に備えられた前記高速伝動用駆動ギアのスプライン部に噛み合い連動する高速伝動用操作位置と、前記変速用入力軸に相対回転自在に備えられた前記低速伝動用駆動ギアのスプライン部に噛み合い連動する低速伝動用操作位置とにスライド自在なシフターを備えて構成されている請求項１〜８のいずれか１項に記載の収穫機。
【請求項１０】
前記変速用出力軸における前記高速伝動用従動ギアと前記低速伝動用従動ギアとの間に、前記副変速装置の伝動下手側に位置する下手側伝動ギアと噛み合い連動する駆動用ギアが備えられ、
前記シフターをスライド操作するシフトフォークが、前記シフターと前記駆動用ギアとの間の空間を通過する状態で備えられている請求項９記載の収穫機。
【請求項１１】
前記シフトフォークが、前記シフターの外周に設けられた係合用周溝における半周分以上の領域に係合するように構成されている請求項１０記載の収穫機。
【請求項１２】
前記シフトフォークが、前記シフターの外周に設けられた係合用周溝における直径上に位置する２箇所に係合するように構成されている請求項１０記載の収穫機。
【請求項１３】
前記出力軸が、軸芯方向に沿って分割され且つ一体回転自在に連動連係された一対の分割伝動軸を備えて構成されている請求項１〜１２のいずれか１項に記載の収穫機。
【請求項１４】
前記出力軸から前記副変速装置に動力を伝達する出力ギアが、前記一対の分割伝動軸の夫々に対して一体回転自在に外嵌装着され、前記一対の分割伝動軸が前記出力ギアにより連動連係されている請求項１３記載の収穫機。
【請求項１５】
前記主変速装置の周囲を覆う主変速ケースと前記ミッションケースとがフランジ連結される状態で接続され、
前記主変速ケースの接続面と前記ミッションケースの接続面のうち前記出力軸が挿通する箇所の夫々に、前記出力軸の軸芯を中心とする同心円状の嵌合溝が形成され、
前記主変速ケースの前記嵌合溝と前記ミッションケースの前記嵌合溝との夫々に嵌り合う状態で、軸芯合わせ用のカラー部材が備えられている請求項１〜１４のいずれか１項に記載の収穫機。
【請求項１６】
前記副変速装置にて変速された動力を左右の走行装置に各別に伝達する左右一対の車軸が、前記ミッションケースから固定延設された左右両側の車軸ケース内を挿通する状態で備えられ、
前記左右一対の車軸が夫々、機体横幅方向内方側の端部に小径の動力伝達部を備え、機体横幅方向外方側に大径の横向き延設部を備えて構成され、且つ、
前記小径の動力伝達部と前記大径の横向き延設部との間の連設箇所が、前記小径の動力伝達部から機体横幅方向外方側に向かうほど大径となるようなテーパ状に形成されている請求項１〜１５のいずれか１項に記載の収穫機。
【発明の詳細な説明】
【技術分野】
【０００１】
本発明は、ミッションケースの外部に設けられると共に、エンジンからの動力を、正逆無段に変速して、前記ミッションケースの一端側の側壁をケース外方側からケース内方側に向けて挿通する出力軸から出力する主変速装置と、前記ミッションケースに内装されると共に、前記出力軸から伝達された動力を作業状態に応じた高低２段に変速して走行装置に伝達するギア式の副変速装置とが備えられた収穫機に関する。
【背景技術】
【０００２】
従来の収穫機においては、主変速装置の出力軸が、ミッションケースの一端側の側壁をケース外方側からケース内方側に向けて挿通して片持ち状に設けられ、その片持ち状の出力軸に出力ギアが一体回転自在に外挿されるとともに、副変速装置の変速用入力軸に備えられた変速入力用の伝動ギアと出力ギアが噛み合い連動して動力が副変速装置に伝達されるように構成されていた（例えば、特許文献１参照。）。
【先行技術文献】
【特許文献】
【０００３】
【特許文献１】特開２０１２−２２９７８７号公報
【発明の概要】
【発明が解決しようとする課題】
【０００４】
上記従来構成では、例えば、走行装置における走行負荷が過大になる等、伝動下手側の駆動負荷が過大になると、出力ギアに対する伝動下手側からの駆動反力により、出力ギアと下手側の変速入力用の伝動ギアとの噛み合い部分において、噛み合うギア同士が離れる方向に片持ち状の出力軸が撓み変形して、各ギアが斜め状態で噛み合うことがある。そして、このような駆動状態が継続して発生すると、前記各ギアが早期に破損したり、ギアが偏摩耗して早期に良好な伝動が行えなくなる等、短期間の使用で動力伝達が良好に行えなくなるおそれがあった。
【０００５】
本発明の目的は、伝動機構において良好な伝動状態を長期にわたり維持することが可能となる収穫機を提供する点にある。
【課題を解決するための手段】
【０００６】
本発明に係る収穫機の特徴構成は、ミッションケースの外部に設けられると共に、前記ミッションケースの一端側の側壁をケース外方側からケース内方側に向けて挿通する出力軸を有し、エンジンからの動力を正逆無段に変速して前記出力軸から出力する主変速装置と、
前記ミッションケースに内装されると共に、前記出力軸から伝達された動力を作業状態に応じた高低２段に変速して走行装置に伝達するギア式の副変速装置とが備えられ、
前記出力軸は、前記ミッションケース内を通過するとともに、他端側の側壁を挿通して軸端部がケース外方に露出する状態で、且つ、前記一端側の側壁と前記他端側の側壁との夫々に回動自在に支持される状態で備えられている点にある。
【０００７】
本発明によれば、主変速装置の出力軸が、ミッションケースの一端側の側壁をケース外方側からケース内方側に向けて挿通する状態で設けられる。そして、その出力軸は、ミッションケース内を通過して他端側の側壁を挿通して軸端部がケース外方に露出する状態で、且つ、一端側の側壁と他端側の側壁との夫々に回動自在に支持される状態で備えられている。
【０００８】
このように出力軸が、ミッションケースにおける一端側の側壁と他端側の側壁との夫々に回動自在に支持される構成となっているから、出力ギアに対する伝動下手側からの駆動反力により出力軸が撓み変形するおそれが少なくなり、良好なギア噛み合い状態を維持することが可能となる。その結果、良好な伝動状態を維持し易いものとなった。
【０００９】
又、出力軸が、他端側の側壁を挿通して他端側の軸端部がケース外方に露出しているので、ミッションケースの外方側からこの出力軸が回転しているか否かを目視で確認することが可能である。そうすると、例えば、変速操作具にて主変速装置を中立位置に操作するときの操作状態を調整するような場合に、主変速装置が中立状態、すなわち出力軸が回転停止状態になっているか否かを目視で確認しながら、調整作業を精度よく行うことができる。
【００１０】
従って、良好なギア噛み合い状態を維持することが可能であるとともに、適正な中立状態を現出可能であり、伝動機構において良好な伝動状態を長期にわたり維持することが可能となる収穫機を提供できるに至った。
【００１１】
本発明においては、前記副変速装置における入力側の変速用入力軸に、前記出力軸に備えられた出力ギアと噛み合い連動する入力ギアが備えられていると好適である。
【００１２】
本構成によれば、出力軸に備えられた出力ギアと副変速装置の変速用入力軸に備えられた入力ギアとが噛み合い連動して、主変速装置の出力が副変速装置に伝達される。伝動下手側からの駆動反力により、出力ギアと入力ギアとの噛み合い箇所において、各ギアが離れる方向に力が作用しても、出力軸が撓み変形するおそれが少ないので、各ギアが斜め状態で噛み合う等の不利のない良好な伝動状態を維持し易いものとなった。
【００１３】
本発明においては、前記変速用入力軸において、前記入力ギアに近い側に高速伝動用駆動ギアが備えられ、前記入力ギアから遠い側に低速伝動用駆動ギアが備えられていると好適である。
【００１４】
本構成によれば、副変速装置が高速状態に切り換えられているときは、高速伝動用駆動ギアを介して動力が伝達され、副変速装置が低速状態に切り換えられているときは、低速伝動用駆動ギアを介して動力が伝達される。
【００１５】
ところで、副変速装置が高速状態であるときは、高速で刈取作業を行う等、駆動負荷が大きい状態であり、副変速装置が低速状態であるときは、低速で刈取作業を行う等、駆動負荷が小さい状態であると考えられる。つまり、変速用入力軸において、高速伝動用駆動ギアが備えられた箇所には比較的大きな駆動反力が作用し、低速伝動用駆動ギアが備えられた箇所には比較的小さな駆動反力が作用すると考えられる。
【００１６】
そして、入力ギアに近い側に高速伝動用駆動ギアが備えられるので、高速状態であるときには、極力、変速用入力軸の捻り変形が少ない状態で動力伝達することができる。尚、低速状態であるときには、低速伝動用駆動ギアは入力ギアから遠い側に備えられていても、変速用入力軸の捻り変形は少ない。
【００１７】
従って、極力、変速用入力軸の捻り変形が少ない状態で、良好な伝動状態を維持し易いものとなった。
【００１８】
本発明においては、前記低速伝動用駆動ギアが、前記変速用入力軸を前記他端側の側壁において回動自在に支持する軸支部材との間で軸芯方向に間隔をあけて備えられていると好適である。
【００１９】
本構成によれば、低速伝動用駆動ギアと軸支部材との間に軸芯方向に間隔があいているので、それらの間の空間を利用して、低速伝動用駆動ギア及び軸支部材の夫々に対して、潤滑油を適正に供給することができる。
【００２０】
その結果、低速伝動用駆動ギア及び軸支部材の夫々が、適正に潤滑油が供給されることにより円滑な作動を継続して行うことができ、良好な伝動状態を維持し易いものとなった。
【００２１】
本発明においては、前記高速伝動用駆動ギアが、前記入力ギアとの間で軸芯方向に間隔をあけて備えられていると好適である。
【００２２】
本構成によれば、高速伝動用駆動ギアと入力ギアとの間に軸芯方向に間隔があいているので、それらの間の空間を利用して、高速伝動用駆動ギア及び入力ギアの夫々に対して、潤滑油を適正に供給することができる。
【００２３】
その結果、高速伝動用駆動ギア及び入力ギアの夫々が、適正に潤滑油が供給されることにより円滑な作動を継続して行うことができ、良好な伝動状態を維持し易いものとなった。
【００２４】
本発明においては、前記副変速装置における出力側の変速用出力軸に、前記高速伝動用駆動ギアが噛み合い連動する高速伝動用従動ギアと、前記低速伝動用駆動ギアが噛み合い連動する低速伝動用従動ギアと、前記副変速装置の伝動下手側に位置する下手側伝動ギアと噛み合い連動する駆動用ギアとが夫々備えられていると好適である。
【００２５】
本構成によれば、副変速装置における変速用入力軸の動力は、高速伝動用駆動ギア及び高速伝動用従動ギアを介して、又は、低速伝動用駆動ギア及び低速伝動用従動ギアを介して、変速用出力軸に伝達される。そして、変速用出力軸の動力は、高速伝動用従動ギア及び低速伝動用従動ギアとは別に備えられた駆動ギア及びそれと噛み合う下手側伝動ギアを介して、副変速装置の伝動下手側に伝達される。
【００２６】
ところで、このような構成に代えて、例えば、変速用入力軸側からの動力が伝達されるギアを利用して、副変速装置の伝動下手側へ動力を伝達させる構成、すなわち、従動用ギアと駆動用ギアとを共用する構成とすることも考えられる。しかし、このような構成では、ギアに対して、変速用入力軸側からの駆動力と、伝動下手側からの駆動反力とが夫々、加わることになり、走行装置の負荷が通常の状態であっても、ギアに大きな負荷が掛かり、耐久性が低下するおそれがある。
【００２７】
これに対して、本構成によれば、高速伝動用従動ギア及び低速伝動用従動ギアには、変速用入力軸側からの動力が伝達されるだけであり、駆動ギアは伝動下手側へ動力を伝達させる駆動専用のギアであるから、従動用ギアと駆動用ギアとを共用することに起因した大きな負荷が掛かることを回避できて、耐久性の低下を防止できる。
【００２８】
本発明においては、前記駆動用ギアが、前記高速伝動用従動ギアと前記低速伝動用従動ギアとの間に位置する状態で備えられていると好適である。
【００２９】
本構成によれば、変速用出力軸における高速伝動用従動ギアと低速伝動用従動ギアとの間に駆動用ギアが備えられる。
ギア式の副変速装置においては、高速伝動用従動ギアに動力が伝達される状態と、低速伝動用従動ギアに動力が伝達される状態とに切り換えるための切換用の操作機構が備えられるが、この切換用の操作機構は、高速伝動用従動ギアと低速伝動用従動ギアとの間に対応する箇所に備えられることになる。
【００３０】
従って、上述したような切換用の操作機構を備えるために、軸芯方向に離間した状態で備えられる高速伝動用従動ギアと低速伝動用従動ギアとの間の空間を利用して、コンパクトに駆動用ギアを配備することができる。
【００３１】
本発明においては、前記駆動用ギアが、前記高速伝動用従動ギアに近い位置に備えられていると好適である。
【００３２】
本構成によれば、駆動用ギアが高速伝動用従動ギアに近い位置に備えられるので、駆動負荷が大きめである高速状態であるときには、高速伝動用従動ギアに伝達された動力が高速伝動用従動ギアに近い箇所に位置する駆動用ギアを介して、極力、変速用出力軸の捻り変形が少ない状態で伝動下手側に動力伝達することができる。尚、低速状態であるときは駆動負荷が小さい場合が多く、駆動用ギアが低速伝動用従動ギアから遠い位置に備えられていても、変速用出力軸の捻り変形は少ない。
【００３３】
本発明においては、前記副変速装置は、
入力側の変速用入力軸と、出力側の変速用出力軸と、前記変速用入力軸に相対回転可能に備えられた高速伝動用駆動ギ及び低速伝動用駆動ギアと、前記変速用出力軸に固定状態で備えられた高速伝動用従動ギア及び低速伝動用従動ギアとを備え、
前記高速伝動用駆動ギアと前記低速伝動用駆動ギアとを、前記高速伝動用従動ギアと前記低速伝動用従動ギアとに夫々常時噛み合う状態で、軸芯方向にスライド不能に備えて構成されるとともに、
前記高速伝動用駆動ギアと前記低速伝動用駆動ギアとの間に、前記変速用入力軸にスプライン外嵌されて、前記変速用入力軸に相対回転自在に備えられた前記高速伝動用駆動ギアのスプライン部に噛み合い連動する高速伝動用操作位置と、前記変速用入力軸に相対回転自在に備えられた前記低速伝動用駆動ギアのスプライン部に噛み合い連動する低速伝動用操作位置とにスライド自在なシフターを備えて構成されていると好適である。
【００３４】
本構成によれば、シフターを高速伝動用操作位置にスライドさせると、シフターは高速伝動用駆動ギアのスプライン部に噛み合い連動するので、高速伝動用駆動ギアが一体的に回転する。そして、高速伝動用駆動ギアと高速伝動用従動ギアとが噛み合い連動することにより変速された高速の動力は、変速出力軸を介して走行装置に伝達される。
【００３５】
一方、シフターを低速伝動用操作位置にスライドさせると、シフターは低速伝動用駆動ギアのスプライン部に噛み合い連動するので、低速伝動用駆動ギアが一体的に回転する。そして、低速伝動用駆動ギアと低速伝動用従動ギアとが噛み合い連動することにより変速された低速の動力は、変速出力軸を介して走行装置に伝達される。
【００３６】
従って、シフターをスライド操作することにより、副変速装置を高速状態と低速状態とに切り換えることができる。
【００３７】
本発明においては、前記変速用出力軸における前記高速伝動用従動ギアと前記低速伝動用従動ギアとの間に、前記副変速装置の伝動下手側に位置する下手側伝動ギアと噛み合い連動する駆動用ギアが備えられ、
前記シフターをスライド操作するシフトフォークが、前記シフターと前記駆動用ギアとの間の空間を通過する状態で備えられていると好適である。
【００３８】
本構成によれば、変速用入力軸における高速伝動用駆動ギアと低速伝動用駆動ギアとの間にシフターが備えられ、変速用出力軸における高速伝動用従動ギアと低速伝動用従動ギアとの間に駆動用ギアが備えられる。そして、シフターをスライド操作するシフトフォークが、シフターと駆動用ギアとの間の空間を通過する状態で備えられる。
【００３９】
このように高速伝動用従動ギアと低速伝動用従動ギアとの間の空間を有効に利用して、コンパクトに駆動用ギアを配備するようにしながら、シフターと駆動用ギアとの間の空間を有効に利用して、他の伝動軸との干渉のおそれの少ない状態で良好にシフトフォークを配備することができる。
【００４０】
本発明においては、前記シフトフォークが、前記シフターの外周に設けられた係合用周溝における半周分以上の領域に係合するように構成されていると好適である。
【００４１】
本構成によれば、シフターの外周に設けられた係合用周溝における半周分以上の領域に係合する状態で、シフトフォークにてシフターをスライド操作するようにしている。その結果、シフトフォークによりシフターをスライド操作させるときに、シフターに対してシフターの半周分以上の広い領域にシフトフォークの操作力が作用し、シフターに対してシフトフォークの操作力が局所的に作用するのと比較して、変速用入力軸に対してシフターが傾きにくく、拗れをおこすおそれのない状態で、円滑にスライド移動する。
【００４２】
本発明においては、前記シフトフォークが、前記シフターの外周に設けられた係合用周溝における直径上に位置する２箇所に係合するように構成されていると好適である。
【００４３】
本構成によれば、シフターの外周に設けられた係合用周溝における直径上に位置する２箇所に係合する状態で、シフトフォークにてシフターをスライド操作するようにしている。その結果、シフトフォークによりシフターをスライド操作させるときに、シフターに、スライド移動方向に対して傾斜させる操作力が作用しにくく、拗れを起こす等のおそれのない状態で円滑にシフターをスライド操作させることができる。
【００４４】
本発明においては、前記出力軸が、軸芯方向に沿って分割され且つ一体回転自在に連動連係された一対の分割伝動軸を備えて構成されていると好適である。
【００４５】
本構成によれば、出力軸が軸芯方向に沿って分割された一対の分割伝動軸にて構成されるので、例えば、主変速装置から片持ち状に延設された出力用回転軸を一方の分割伝動軸として利用して、その一方の分割伝動軸の軸芯方向に沿って連なる状態で、且つ、一体回転自在に連動連係される状態で他方の分割伝動軸を備えることにより、出力軸を構成することができる。つまり、従来より既存の片持ち状の出力用回転軸の構成を有効に利用することで、主変速装置の構造を大幅に改良する必要がない。
【００４６】
本発明においては、前記出力軸から前記副変速装置に動力を伝達する出力ギアが、前記一対の分割伝動軸の夫々に対して一体回転自在に外嵌装着され、前記一対の分割伝動軸が前記出力ギアにより連動連係されていると好適である。
【００４７】
本構成によれば、副変速装置に動力を伝達するための出力ギアを有効に利用して、一対の分割伝動軸の夫々を一体回転自在に連動連係させるので、一対の伝動軸を連動連係させるための専用の連結部材を用いて構造を複雑にする等の不利のない状態で、一対の分割伝動軸により出力軸を構成することができる。
【００４８】
本発明においては、前記主変速装置の周囲を覆う主変速ケースと前記ミッションケースとがフランジ連結される状態で接続され、
前記主変速ケースの接続面と前記ミッションケースの接続面のうち前記出力軸が挿通する箇所の夫々に、前記出力軸の軸芯を中心とする同心円状の嵌合溝が形成され、
前記主変速ケースの前記嵌合溝と前記ミッションケースの前記嵌合溝との夫々に嵌り合う状態で、軸芯合わせ用のカラー部材が備えられていると好適である。
【００４９】
本構成によれば、主変速装置の周囲を覆う主変速ケースとミッションケースとがフランジ連結され、ミッションケースにおける主変速ケースが接続される側の側壁をケース外方側すなわち、主変速ケースの内部からケース内方側に向けて挿通する状態で出力軸が備えられる。
【００５０】
そして、主変速ケースの接続面とミッションケースの接続面のうち出力軸が挿通する箇所の夫々に、出力軸の軸芯を中心とする同心円状の嵌合溝が形成されており、主変速ケースの嵌合溝とミッションケースの嵌合溝との夫々に嵌り合う状態で、軸芯合わせ用のカラー部材が備えられる。
【００５１】
すなわち、主変速ケースの嵌合溝とミッションケースの嵌合溝との夫々に嵌り合う状態で同一のカラー部材が装着されるので、主変速ケースの嵌合溝の中心とミッションケースの嵌合溝の中心とが合致する状態で、主変速ケースとミッションケースとがフランジ連結される。
【００５２】
その結果、主変速ケースの内部からミッションケース内方側に向けて挿通する状態で備えられる出力軸を、嵌合溝の軸芯合わせが行われた主変速ケースとミッションケースとによって軸芯位置のずれの少ない良好な状態で回転自在に支持することができる。
【００５３】
本発明においては、前記副変速装置にて変速された動力を左右の走行装置に各別に伝達する左右一対の車軸が、前記ミッションケースから固定延設された左右両側の車軸ケース内を挿通する状態で備えられ、
前記左右一対の車軸が夫々、機体横幅方向内方側の端部に小径の動力伝達部を備え、機体横幅方向外方側に大径の横向き延設部を備えて構成され、且つ、
前記小径の動力伝達部と前記大径の横向き延設部との間の連設箇所が、前記小径の動力伝達部から機体横幅方向外方側に向かうほど大径となるようなテーパ状に形成されていると好適である。
【００５４】
本構成によれば、左右一対の車軸は、ミッションケースの内部において、動力伝達部に対して変速後の動力が伝達され、その動力を車軸ケース内を挿通する横向き延設部を介して走行装置に伝達する。左右の走行装置の左右間隔を大きめに設定する収穫機では、車軸ケース内を挿通する横向き延設部を大径に形成することで支持強度を大にする必要がある。
【００５５】
そして、小径の動力伝達部と大径の横向き延設部との間の連設箇所が、小径の動力伝達部から機体横幅方向外方側に向かうほど大径となるようなテーパ状に形成されているから、車軸ケースの機体横幅方向内方側の端部において、車軸ケースの内面とテーパ状の連設箇所との間には、機体横幅方向内方側が広く、機体横幅方向外方側ほど狭くなるような隙間が形成される。
【００５６】
その結果、ミッションケース側から供給される潤滑油が、上記隙間における広幅の内方側端部から順次、機体横幅方向外方側に向けて導入されることになり、潤滑油の供給を良好に行うことができる。
【図面の簡単な説明】
【００５７】
【図１】コンバインの全体側面図である。
【図２】コンバインの全体平面図である。
【図３】伝動構造を示す図である。
【図４】ミッションケースの縦断正面図である。
【図５】ミッションケースの一部縦断正面図である。
【図６】ミッションケースの一部縦断側面図である。
【発明を実施するための形態】
【００５８】
以下、本発明の実施形態を収穫機としての普通型のコンバインに適用した場合について図面に基づいて説明する。
【００５９】
〔全体構成〕
図１及び図２に示すように、コンバインには、左右一対のクローラ式の走行装置２を備えた自走式の走行機体１と、走行機体１の前部に上下揺動可能に支持された刈取部３と、刈取穀稈を脱穀処理する脱穀装置４と、脱穀処理された穀粒を貯留するグレンタンク５と、グレンタンク５の後下部に接続され、グレンタンク５に貯留する穀粒を外部に排出するアンローダ６等を備えて構成されている。
【００６０】
刈取部３は、植立穀稈を機体側へ掻き込むリール７と、植立穀稈の株元を切断して植立穀稈を刈り取る刈取装置８と、刈取穀稈を横送り搬送して集めて後方に送り込むオーガ９と、オーガ９から送り込まれた刈取穀稈を機体後方上方の脱穀装置４の入口に向けて搬送するフィーダ１０とを備えている。刈取穀稈は、脱穀装置４によって脱穀選別され、脱穀された穀粒はグレンタンク５に搬送されて貯留される。貯留された穀粒は、アンローダ６によって外部に排出することができる。
【００６１】
図２に示すように、運転部１１が、走行機体１の前部のうち横一側（右側）に配置されている。脱穀装置４は、走行機体１の後部において運転部１１とは反対側に配置され、グレンタンク５は、運転部１１と同じ側に配置されて、脱穀装置４とグレンタンク５とは左右に並んでいる。脱穀装置４は、前後方向において、その前端部分が運転部１１の後部と重複している。
【００６２】
尚、この実施形態では、機体横幅方向の向き（右側又は左側）を定義するときは、機体進行方向視において対応する向きとして定義する。従って、図面上における向き（右側又は左側）とは異なる場合がある。
【００６３】
図１及び図２に示すように、運転部１１の下部にエンジン１２が備えられ、エンジン１２の前方にトランスミッション１３が備えられている。図３に示すように、トランスミッション１３は、静油圧式無段変速装置（ＨＳＴ）からなる主変速装置１４と、副変速装置１５や他の減速装置が内装されたミッションケース１６とが連結されて構成されている。
【００６４】
エンジン１２からの動力は、主変速装置１４によって正逆無段に変速され、さらに、ミッションケース１６に内装された副変速装置１５により変速されたのち、副変速装置１５の伝動下手側に設けられた操向伝動機構１９、中間ギア機構２０、及び、左右一対の車軸２１を介して左右の走行装置２に伝達される。
【００６５】
又、エンジン１２の動力が、運転部１１に備えられた脱穀クラッチレバー２２にて断続操作自在な脱穀クラッチ２３を介して脱穀装置４に伝達するように構成され、さらに、脱穀装置４に伝達された動力が、運転部１１に備えられた刈取クラッチレバー２４にて断続操作自在な刈取クラッチ２５を介して刈取部３に伝達するように構成されている。
【００６６】
〔主変速装置〕
図４に示すように、主変速装置１４は、全体が主変速ケース２６にて覆われており、ミッションケース１６における右側（図面では左側）上部側の外部に設けられ、この主変速ケース２６とミッションケース１６とがフランジ連結されている。つまり、主変速ケース２６とミッションケース１６とが、縦向き姿勢の接続面同士を当て付ける状態で複数箇所をボルト２７で連結して接続されている。
【００６７】
主変速装置１４は、入力軸２８にエンジン１２の動力が伝達される。そして、ミッションケース１６の一端側の側壁としての右側の側壁１６Ａをケース外方側からケース内方側に向けて挿通する出力軸２９を有し、エンジン１２からの動力を正逆無段に変速して出力軸２９から出力するように構成されている。
【００６８】
説明を加えると、図４及ぶ図５に示すように、主変速ケース２６とミッションケース１６とが互いにフランジ連結される箇所、つまり、主変速ケース２６の一端側としての左側の側壁２６Ａ、及び、ミッションケース１６の右側の側壁１６Ａの夫々に、挿通孔３０，３１が形成され、主変速装置１４の出力軸２９は、主変速ケース２６とミッションケース１６の夫々に形成された挿通孔３０，３１を通して、主変速ケース２６の内部からミッションケース１６の内部に向けて延設されている。
【００６９】
そして、主変速ケース２６とミッションケース１６の夫々に形成された挿通孔３０，３１における両ケース２６，１６の接続箇所に同心円状の嵌合溝Ｍ１，Ｍ２が形成されており、主変速ケース２６の嵌合溝Ｍ１とミッションケース１６の嵌合溝Ｍ２との夫々に嵌り合う状態で、軸芯合わせ用のカラー部材８０が備えられている。このカラー部材８０により、両ケースの挿通孔３０，３１の軸芯合わせが行われ、出力軸２９を精度よく支持することができる。
【００７０】
このように、出力軸２９は、ミッションケース１６の右側の側壁１６Ａに形成された挿通孔３０に備えられたベアリング３２により回動自在に右側の側壁１６Ａに支持されており、さらに、ミッションケース１６内を通過して他端側としての左側の側壁１６Ｂに至るまで延設されている。
【００７１】
出力軸２９は、さらに、左側の側壁１６Ｂに形成された挿通孔３１に備えられた軸支部材としてのベアリング３３にて回動自在に支持されるとともに、軸端部２９ａがケース外方に露出する状態で備えられている。従って、出力軸２９は、右側の側壁１６Ａと左側の側壁１６Ｂとの夫々にベアリング３２，３３を介して回動自在に支持されている。
【００７２】
そして、出力軸２９は、軸芯方向に沿って分割され且つ一体回転自在に連動連係された一対の分割伝動軸２９Ａ，２９Ｂを備えて構成され、出力軸２９から副変速装置１５に動力を伝達する出力ギア３４が、一対の分割伝動軸２９Ａ，２９Ｂの夫々に対して一体回転自在に外嵌装着され、一対の分割伝動軸２９Ａ，２９Ｂが出力ギア３４により連動連係されている。
【００７３】
すなわち、出力軸２９は、主変速装置１４の内部から延設された第一分割伝動軸２９Ａと、その第一分割伝動軸２９Ａの軸端に突き合わせた状態で同一軸芯上に位置して延びる第二分割伝動軸２９Ｂとを備えて構成されている。そして、第一分割伝動軸２９Ａ及び第二分割伝動軸２９Ｂの夫々の外周部にスプライン部３５，３６が形成され、第一分割伝動軸２９Ａ及び第二分割伝動軸２９Ｂ夫々のスプライン部３５，３６にわたって噛み合い状態で外嵌する出力ギア３４が備えられている。
【００７４】
又、第二分割伝動軸２９Ｂは、第一分割伝動軸側２９Ａの一端部が出力ギア３４に噛み合い、他端部がミッションケース１６の左側の側壁１６Ｂに形成された挿通孔３１を挿通してその軸端部２９ａがミッションケース１６の外方（外部）に露出する状態で、軸支部材としてのベアリング３３を介して左側の側壁１６Ｂに回転自在に支持されている。
【００７５】
このように出力軸２９の軸端部２９ａがミッションケース１６の外部に露出しているので、主変速レバー３７を中立位置に操作したときに、主変速装置１４が中立状態（出力軸２９が回転停止状態）になるように、主変速レバー３７との間での機械的な連係機構を調整するような場合に、中立状態であるか否かを目視で確認しながら調整作業を行うことが可能であり、適正な調整作業を行うことができる。
【００７６】
図５に示すように、出力ギア３４は、出力軸２９における主変速装置１４側の端部に位置する状態で備えられ、出力軸２９における主変速装置１４とは反対側の箇所には、出力ギア３４を主変速装置１４側の端部に位置する状態で位置保持するためのカラー３８が外挿されている。
【００７７】
従って、主変速装置１４の出力軸２９は、ミッションケース１６内を通過して左側の側壁１６Ｂを挿通して、軸端部２９ａがケース外方に露出する状態で、且つ、ベアリング３２，３３を介して右側の側壁１６Ａと左側の側壁１６Ｂとの夫々に回動自在に支持される構成となっている。
【００７８】
〔副変速装置〕
副変速装置１５は、出力軸２９から伝達された動力を作業状態に応じた高低２段に変速して走行装置２に伝達するギア式の変速装置であり、この副変速装置１５には、入力側の変速用入力軸３９と出力側の変速用出力軸４０とが備えられている。
図４及び図５に示すように、変速用入力軸３９は、車体横幅方向（図５の図面左右方向）に沿う状態で回転自在にミッションケース１６に支持されている。そして、この変速用入力軸３９に、一体回転する状態で且つスライド移動不能な状態で、出力軸２９に備えられた出力ギア３４と噛み合い連動する入力ギア４１が備えられている。又、変速用入力軸３９には、相対回転自在で且つスライド移動不能な状態で、低速伝動用駆動ギア（以下、低速駆動ギアという）４２、及び、高速伝動用駆動ギア（高速駆動ギアという）４３の夫々が備えられている。
【００７９】
変速用出力軸４０は、変速用入力軸３９と並行な姿勢で車体横幅方向に沿う状態で回転自在にミッションケース１６に支持されている。そして、この変速用出力軸４０に、一体回転する状態で且つスライド移動不能な状態で、低速伝動用従動ギア（以下、低速従動ギアという）４４、高速伝動用従動ギア（以下、高速従動ギアという）４５、駆動用ギア４６の夫々が備えられている。
【００８０】
低速駆動ギア４２と低速従動ギア４４とは、常時噛み合うように車体横幅方向の位置が設定され、高速駆動ギア４３と高速従動ギア４５とは、常時噛み合うように車体横幅方向の位置が設定されている。
【００８１】
変速用入力軸３９における低速駆動ギア４２と高速駆動ギア４３との間に、一体回転自在かつスライド移動可能な状態でシフター４７がスプライン嵌合されている。このシフター４７は、左右方向に移動して、低速駆動ギア４２に形成されたスプライン部４８と噛み合う低速位置Ｐ１、高速駆動ギア４３に形成されたスプライン部４９と噛み合う高速位置Ｐ３、低速駆動ギア４２及び高速駆動ギア４３の何れとも噛み合わない中立位置Ｐ２に切換自在である。
【００８２】
シフター４７をスライド操作するシフトフォーク５０が、変速用入力軸３９と並行な姿勢で左右方向に沿う状態でスライド移動自在に支持されており、このシフトフォーク５０が、上記３位置（低速位置Ｐ１、高速位置Ｐ３、中立位置Ｐ２）に切り換え自在に、且つ、各位置で位置保持自在に構成されている。
【００８３】
すなわち、図５及び図６に示すように、軸部材の外周部に形成された３つの周溝５３と、シフトフォーク５０のボール保持部５０ｂに保持されて周溝５３に入り込み係合自在なボール５４と、ボール５４を周溝５３に入り込む方向に押圧付勢するバネ５５とが備えられている。
【００８４】
又、図５に示すように、運転部１１に備えられた副変速レバー５６の操作に伴って、例えば、リンク機構等からなる連動操作機構５７を介して揺動アーム５８が操作されると、その揺動アーム５８と一体に揺動する操作アーム５９に備えられた係止具６０がシフトフォーク５０に形成された係合溝６１に係合する状態で備えられ、揺動アーム５８が揺動するのに伴ってシフトフォーク５０が軸部材５１の軸芯方向に沿ってスライド移動するように構成されている。
【００８５】
シフトフォーク５０は、ボール５４がいずれかの周溝５３に入り込み係合することにより位置保持される。シフトフォーク５０が副変速レバー５６の操作に伴ってスライド移動すると、ボール５４がスライド移動に追従して周溝５３と周溝５３との間の山を乗り越えて別の周溝５３に位置することにより、シフトフォーク５０を所望の位置に変更したのちにその位置で保持することができる。
【００８６】
図６に示すように、シフトフォーク５０は、シフター４７の係合用周溝６２における直径上に位置する２箇所に係合するように構成されている。又、変速用入力軸３９に備えられるシフター４７と、変速用出力軸４０に備えられる駆動用ギア４６との間の空間を通過する状態で備えられている。
【００８７】
そして、このシフトフォーク５０は、スライド支持部５０ａから一体的に延設される状態で機体側面視略Ｃ形の係合作用部５０ｃが形成されている。この係合作用部５０ｃは、シフター４７の外周部に形成された係合用周溝６２に入り込み係合して、スライド操作に伴ってシフター４７を軸芯方向にスライドさせる。
【００８８】
係合作用部５０ｃは、一対の先端部がシフター４７の係合用周溝６２における直径上に位置する２箇所に係合して、この２箇所を軸芯方向に押し操作することにより、シフター４７をスライドさせるように構成されている。このように係合用周溝６２における直径上に位置する２箇所を押し操作することにより、拗れの生じるおそれの少ない状態で円滑にシフター４７をスライド操作させることができる。
【００８９】
図５に示すように、変速用入力軸３９において、入力ギア４１に近い側に高速駆動ギア４３が備えられ、入力ギア４１から遠い側に低速駆動ギア４２が備えられている。又、高速駆動ギア４３は、入力ギア４１との間で軸芯方向に間隔をあけた状態で備えられている。すなわち、高速駆動ギア４３と入力ギア４１との間には、両者の間隔が設定値に維持されるように、間隔を維持するためのカラー８１が備えられている。
【００９０】
又、低速駆動ギア４２は、変速用入力軸３９をミッションケース１６の左側の側壁１６Ｂに回転自在に支持するためのベアリング３３との間で軸芯方向に間隔をあけて備えられている。すなわち、低速駆動ギア４２とベアリング３３との間には、両者の間隔が設定値に維持されるように、間隔を維持するためのカラー８２が備えられている。
【００９１】
以上の構成によって、副変速装置１５は、シフター４７の移動によって、主変速装置１４で変速されて変速用入力軸３９に入力された動力を、シフター４７を介して、動力を高低二段に切り換え可能である。なお、シフター４７が中立位置Ｐ２にあれば動力の伝達が絶たれた中立状態となる。副変速装置１５を高速変速状態に操作すれば、高速での刈取作業が可能であり、低速変速状態に操作すれば、低速での刈取作業が可能である。即ち、副変速装置１５を変速操作することによって、走行速度を作業状態に応じた速度に変速することができる。
【００９２】
又、刈取作業を行わないで畦道や路上を走行する場合には、作業用速度よりも高速で走行することができるように構成されている。つまり、刈取作業を行うために、刈取クラッチレバー２４がクラッチ入り位置に操作されると、主変速装置１４を変速操作する主変速レバー３７が、設定値以上の高速域に操作されることを牽制し、刈取クラッチレバー２４がクラッチ切り位置に操作されると、牽制を解除して主変速レバー３７が設定値以上の高速域にまで操作することを許容する牽制手段（図示せず）が備えられている。
【００９３】
つまり、刈取作業中においては、牽制手段による牽制作動により、主変速レバー３７は設定値以上の高速域に操作されず、設定値よりも低速の操作領域で変速操作可能である。その状態で、副変速レバー５６を操作して、副変速装置１５を高速変速状態に操作すれば、高速側での刈取作業が可能であり、低速変速状態に操作すれば、低速側での刈取作業が可能である。路上走行時においては、主変速レバー３７が、設定値以上の高速域にも操作可能であり、作業速度よりも高速で移動走行することができる。
【００９４】
〔操向伝動機構〕
操向伝動機構１９について説明する。
図３及び図４に示すように、操向伝動機構１９は、変速用出力軸４０と平行な姿勢でミッションケース１６に支持されたサイドクラッチ軸６３と、サイドクラッチ軸６３の中央付近に一体回転するように固定されたセンターギア６４と、センターギア６４の左右両側において相対回転自在かつスライド移動自在にサイドクラッチ軸６３に外挿された左右のクラッチスリーブ６５と、クラッチスリーブ６５の移動によって押圧されて制動力を作用させる摩擦ディスク６６と、左右のクラッチスリーブ６５を各別または同時に摩擦ディスク６６の側に移動させるシフター６７とを備えて構成されている。センターギア６４は、副変速装置１５における駆動用ギア４６が噛み合い連動して変速後の動力が伝達される。従って、センターギア６４が下手側伝動ギアに相当する。
【００９５】
クラッチスリーブ６５の内端側（ミッションケース１６の左右中央側）とセンターギア６４の両側部に噛み合い部６８を形成し、両側の噛み合い部６８によって、いわゆるドッグクラッチが構成されている。また、左右のクラッチスリーブ６５には、中間ギア機構２０の後述する中間ギア７２と常時噛み合うサイドギア７０が備えられている。センターギア６４の噛み合い部６８に、クラッチスリーブ６５の噛み合い部６８が噛み合うことによって、「クラッチ入り状態（伝動状態）」となって、クラッチスリーブ６５がセンターギア６４と一体的に回転し、主変速装置１４及び副変速装置１５によって変速された動力が、中間ギア機構２０を介して走行装置２に伝達される。
【００９６】
これとは逆に、クラッチスリーブ６５がセンターギア６４から離間する方向にスライド移動し、センターギア６４とクラッチスリーブ６５との噛み合いが解除されることによって、「クラッチ切り状態（遮断状態）」となり、走行装置２への動力の伝達が切断される。さらに、クラッチスリーブ６５が摩擦ディスク６６を押圧すると、クラッチスリーブ６５に制動力が付与され、走行装置２にブレーキがかかる。
【００９７】
従って、左右いずれかのクラッチスリーブ６５がスライド移動することにより、車体を旋回させることができ、左右のクラッチスリーブ６５を同時にスライド移動させると、走行を停止させることができる。
【００９８】
〔中間ギア機構〕
図３及び図４に示すように、中間ギア機構２０は、サイドクラッチ軸６３と平行な姿勢でミッションケース１６に支持された中間軸７１と、中間軸７１に相対回転自在かつスライド移動不能に外挿された左右の中間ギア７２とを備えている。左右の中間ギア７２は、左右のサイドギア７０と各別に常時噛み合いする大径ギア部７２Ａと、車軸２１に備えられたファイナルギア７６と噛み合う小径ギア部７２Ｂとを備えて構成されている。操向伝動機構１９から伝達された動力は、左右の中間ギア７２を介して、左右の走行装置２に伝達される。
【００９９】
〔車軸について〕
図３及び図４に示すように、主変速装置１４及び副変速装置１５にて変速された動力を左右の走行装置２に伝達する左右一対の車軸２１が、ミッションケース１６から固定延設された左右両側の車軸ケース７３内を挿通する状態で備えられている。
【０１００】
そして、図４に示すように、左右一対の車軸２１は、夫々、機体横幅方向内方側の端部に小径の動力伝達部２１Ａを備え、機体横幅方向外方側に大径の横向き延設部２１Ｂを備えて構成され、且つ、動力伝達部２１Ａと横向き延設部２１Ｂとの間の連設箇所２１Ｃが、動力伝達部２１Ａから機体横幅方向外方側に向かうほど大径となるようなテーパ状に形成されている。
【０１０１】
動力伝達部２１Ａの外周部にスプライン部７４が形成され、このスプライン部７４には中間ギア７２と一体回転する小径ギア７５と噛み合うファイナルギア７６が外嵌装着されている。又、横向き延設部２１Ｂは、支持強度を高めるために大径に設けられており、車軸ケース７３の内周面との間の隙間が狭くなっている。
【０１０２】
そして、動力伝達部２１Ａと横向き延設部２１Ｂとの間の連設箇所２１Ｃがテーパ状に形成されているから、ミッションケース１６内部に貯留されている循環油が、車軸２１を支持するベアリング７７を介して、動力伝達部２１Ａと車軸ケース７３との間の広い空間からテーパ状の隙間を通して、横向き延設部２１Ｂと車軸ケース７３の内周面との間の隙間に流動させやすいものとなっている。
【０１０３】
〔別実施形態〕
（１）主変速装置１４の出力軸２９が、軸芯方向の全長にわたって一体形成される構成としてもよい。
【０１０４】
（２）変速用入力軸３９に備えられる、入力ギア４１、高速駆動ギア４３、低速駆動ギア４２の配置構成は、上記実施形態の構成に限定されるものではなく、例えば、入力ギア４１に近い側に低速駆動ギア４２が備えられ、入力ギア４１から遠い側に高速駆動ギア４３が備えられる構成としてもよい。又、それに合わせて、変速用出力軸４０に備えられる、高速従動ギア４５、低速従動ギア４４、駆動用ギア４６の配置構成についても同様に、適宜変更して実施してもよい。
【０１０５】
（３）副変速装置１５として、シフター４７を備えずに、変速用入力軸３９に、一体回転可能に且つ軸芯方向に一体的にスライド自在に高速駆動ギア４３及び低速駆動ギア４２を備え、これらのギアをスライドさせて変速を行う構成としてもよい。この場合には、変速用出力軸４０に、一体回転可能に且つ軸芯方向にスライド不能に、高速従動ギア４５と低速従動ギア４４とが備えられることになる。
【０１０６】
（４）副変速装置１５として、シフター４７を備えずに、変速用出力軸４０に、一体回転可能に且つ軸芯方向にスライド自在に高速従動ギア４５及び低速従動ギア４４を備え、これらのギアをスライドさせて変速を行う構成としてもよい。この場合には、変速用入力軸３９に、一体回転可能に且つ軸芯方向にスライド不能に、高速駆動ギア４３と低速駆動ギアとが備えられることになる。
【０１０７】
（５）上記実施形態では、主変速ケース２６の接続面とミッションケース１６の接続面のうち出力軸２９が挿通する箇所に、軸芯合わせ用のカラー部材８０を備える構成としたが、このようなカラー部材８０を備えない構成としてもよい。
【０１０８】
（６）上記実施形態では、車軸２１における小径の動力伝達部２１Ａと大径の横向き延設部２１Ｂとの間の連設箇所２１Ｃがテーパ状に形成されるものを示したが、このような構成に代えて階段状の段差部を形成する構成としてもよい。
【０１０９】
（７）上記実施形態においては、主変速装置１４として静油圧式無段変速装置を用いたが、本発明は、これに限られるものではない。主変速装置１４は、油圧機械式無段変速機（ＨＭＴ）やその他のＣＶＴであっても良い。
【０１１０】
（８）上記実施形態では、収穫機として、普通形のコンバインを示したが、自脱型のコンバインでもよく、トウモロコシ収穫機等、他の種類の収穫機でもよい。
【産業上の利用可能性】
【０１１１】
本発明は、コンバインやトウモロコシ収穫機等の収穫機に適用できる。
【符号の説明】
【０１１２】
２              走行装置
１２            エンジン
１４            主変速装置
１５            副変速装置
１６            ミッションケース
１６Ａ，１６Ｂ  側壁
２１            車軸
２１Ａ          動力伝達部
２１Ｂ          横向き延設部
２１Ｃ          連設箇所
２９            出力軸
２９Ａ，２９Ｂ  分割伝動軸
２９ａ          軸端部
３３            軸支部材
３４            出力ギア
３９            変速用入力軸
４０            変速用出力軸
４１            入力ギア
４２            低速伝動用駆動ギア
４３            高速伝動用駆動ギア
４４            低速伝動用従動ギア
４５            高速伝動用従動ギア
４６            駆動用ギア
４７            シフター
４８，４９      スプライン部
５０            シフトフォーク
６２            係合用周溝
６４            下手側伝動ギア
７３            車軸ケース
８０            カラー部材
Ｍ１，Ｍ２      嵌合溝
【図１】
2015010658.tif 000003
【図２】
2015010658.tif 000004
【図３】
2015010658.tif 000005
【図４】
2015010658.tif 000006
【図５】
2015010658.tif 000007
【図６】
2015010658.tif 000008